(57)【特許請求の範囲】
【請求項１】
布設ルートに沿って布設される幹線光ファイバケーブルと、この幹線光ファイバケーブルから分岐される分岐光ファイバケーブルと、リールから繰り出されるリール光ファイバケーブルと、前記分岐光ファイバケーブルの端末と前記リール光ファイバケーブルの端末を接続する情報コンセントとを備える情報コンセントシステムにおいて、
前記情報コンセントは、スプライスボックスをハウジング内に備え、
前記スプライスボックスは、下辺部若しくは側辺部に前記分岐光ファイバケーブルの導入口および前記分岐光ファイバケーブルと前記リール光ファイバケーブルとを接続するコネクタを有し、
前記分岐光ファイバケーブルの端末は、前記導入口に水密に導入され、
前記分岐光ファイバケーブルの端末を段剥して露出させた光ファイバ心線は、前記スプライスボックス内でリング状に巻回された余長を介して前記スプライスボックス下辺部若しくは側辺部に設けられた前記コネクタに接続され、
前記リール光ファイバケーブルの端末は、前記ハウジングの開閉蓋下部に設けられた挿入口から導入され前記スプライスボックスの外側から前記コネクタに接続されていることを特徴とする情報コンセントシステム。
【請求項２】
前記光ファイバ心線は、前記コネクタに接続された他の光ファイバ心線に融着接続されていることを特徴とする請求項１記載の情報コンセントシステム。
【請求項３】
前記導入口は、前記スプライスボックスの下方部から立ち上げられる前記光ファイバケーブルの端末と対向する部位に配置されていることを特徴とする請求項１又は請求項２記載の情報コンセントシステム。
【請求項４】
前記コネクタは、前記スプライスボックスの下方部に向かって繰り出される前記リール光ファイバケーブルの端末と対向する部位に配置されていることを特徴とする請求項１又は請求項２記載の情報コンセントシステム。
【請求項５】
前記スプライスボックスは、ハウジングの内壁に取り付けられていることを特徴とする請求項１乃至請求項４の何れか１項記載の情報コンセントシステム。
【請求項６】
前記スプライスボックスは、箱体の底部前面に取り付けられていることを特徴とする請求項１乃至請求項４の何れか１項記載の情報コンセントシステム。
【発明の詳細な説明】
【０００１】
【発明の属する技術分野】
本発明は、情報コンセントシステムに係わり、特に、コンパクトで施工性の良好な情報コンセントを備える情報コンセントシステムに関する。
【０００２】
【従来の技術】
近時、情報インフラの整備の一環として、道路、河川およびダム等を監視するデータや台風等の災害状況を撮像した映像等のデータをリアルタイムで現場から伝送するための情報コンセントシステムの構築が進められている。
【０００３】
従来、この種の情報コンセントシステムとしては、図１１に示すような構成のものが知られている。同図において、主要な国道や河川等の地中にはそのルートに沿って光ファイバネットワークを構成する幹線光ファイバケーブル１が布設され、この幹線光ファイバケーブル１にはクロージャ２を介して分岐光ファイバケーブル３が接続されている。また、上記の国道や河川等の地上には幹線光ファイバケーブル１の長手方向に沿って、例えば１ｋｍ程度の間隔をおいて情報コンセント４が立設されており、この情報コンセント４の内部には分岐光ファイバケーブル３の端末を接続する光コンセント５が配設されている。
【０００４】
しかして、このような構成の情報コンセントシステムにおいては、リール６に巻収された光ファイバケーブル（以下（リール光ファイバケーブル）という。）７の一端部を光コンセント５に接続することにより、被災地の災害状況等を撮像した映像や音声等のデータをリアルタイムで伝送することができる。なお、リール光ファイバケーブル７の他端部には可搬端末装置８が接続されている。
【０００５】
図１２および図１３は、情報コンセント内における分岐光ファイバケーブルとリール光ファイバケーブルとの接続状況を示す説明図である。なお、これらの図において、図１１と共通する部分には同一の符号が付されている。図１２および図１３において、地中から立ち上げられた分岐光ファイバケーブル３の端末には直線状のコネクタ（以下「Ｉ型コネクタ」という。）Ｃ１若しくはＬ字状のコネクタ（以下「Ｌ型コネクタ」という。）Ｃ２が接続され、このＩ型コネクタＣ１若しくはＬ型コネクタＣ２には、通常時においてはループコネクタＣ３が接続されている。
【０００６】
一方、リール光ファイバケーブル７の端末にはＬ型コネクタＣ４が接続されており、このＬ型コネクタＣ４は次のようにして分岐光ファイバケーブル３のＩ型コネクタＣ１若しくはＬ型コネクタＣ２に接続されている。すなわち、先ず、図１２に示すものにおいては、情報コンセント４を構成するハウジング４１に設けられた開閉蓋４２を開けてループコネクタＣ３を取り外し、次いで、リール６（図１１参照）に巻収されたリール光ファイバケーブル７の一端部をリール６から繰り出してこれを水平方向からハウジング４１の開口部４３に導入し、Ｌ型コネクタＣ４をＩ型コネクタＣ１にプラグイン接続する。
【０００７】
また、図１３に示すものにおいては、分岐光ファイバケーブル３と、リールから繰り出したリール光ファイバケーブル７とを共にハウジング４１の下方部から鉛直方向に立ち上げ、ハウジング４１内において各Ｌ型コネクタＣ２、Ｃ４を対向させてプラグイン接続する。
【０００８】
【発明が解決しようとする課題】
しかしながら、これらの接続方法においては、狭いハウジング４１内において、分岐光ファイバケーブル３のコネクタＣ１（Ｃ２）とリール光ファイバケーブル７のコネクタＣ４とを対向させ両コネクタＣ１（Ｃ２）、Ｃ４の軸線を一致させた上でプラグイン接続しなければならないことから、プラグイン接続作業が煩雑になるという難点があった。また、分岐光ファイバケーブル３の端末にコネクタＣ１、Ｃ２を接続するものにおいては、クロージャ２から情報コンセント４までの長さが決定しないと、分岐光ファイバケーブル３の条長が決定しないことから、分岐光ファイバケーブル３として常備品の光ファイバケーブルを使用することができず、ひいては、情報コンセントの組立工事が大幅に遅れ、納期遅れの要因にもなるという難点があり、さらに、各コネクタＣ１（Ｃ２）、Ｃ４および分岐光ファイバケーブル３をそれぞれ把持金具（不図示）を介してハウジング４１の内壁に固定しなければならないことから、部品点数が多くなり、組立がより煩雑になるという難点があった。
【０００９】
また、図１２に示すものにおいては、リール光ファイバケーブル７が障害となるため開閉蓋４２を閉じることができないという難点があり、図１３に示すものにおいては、両コネクタＣ２、Ｃ４の水平部分が対向して配置されることから、その水平部分の長さに応じてハウジング４１が大型化するという難点があった。
【００１０】
このため、分岐光ファイバケーブルおよびリール光ファイバケーブルの端末にＩ型コネクタを接続し、分岐光ファイバケーブルをハウジングの内部で湾曲させ取出口の方向を変えた上で、分岐光ファイバケーブルのＩ型コネクタをリール光ファイバケーブルのＩ型コネクタにプラグイン接続する方法も案出されているが、かかる接続方法においては、分岐光ファイバケーブルの許容曲げ半径（分岐光ファイバケーブルの外径の１０倍以上）を確保する必要があることから、小型の情報コンセントに適用することができないという難点があった。すなわち、分岐光ファイバケーブルの外径を１０ｍｍとすると、ハウジングとして２００ｍｍ以上の収容スペースを必要とすることから、収容スペースが２００ｍｍ以下のモニュメント型、ペデスタル型およびキロポスト型等の情報コンセントに適用することができないという難点があった。
【００１１】
本発明は、このような難点を解消するためになされたもので、コンパクトで、施工性の良好な情報コンセントを備える情報コンセントシステムを提供することを目的とする。
【００１２】
【課題を解決するための手段】
この目的を達成するために、本発明の情報コンセントシステムは、布設ルートに沿って布設される幹線光ファイバケーブルと、この幹線光ファイバケーブルから分岐される分岐光ファイバケーブルと、リールから繰り出されるリール光ファイバケーブルと、分岐光ファイバケーブルの端末とリール光ファイバケーブルの端末を接続する情報コンセントとを備える情報コンセントシステムにおいて、情報コンセントはスプライスボックスをハウジング内に備え、スプライスボックスは、下辺部若しくは側辺部に分岐光ファイバケーブルの導入口および分岐光ファイバケーブルとリール光ファイバケーブルとを接続するコネクタを有し、分岐光ファイバケーブルの端末は、導入口に水密に導入され、分岐光ファイバケーブルの端末を段剥して露出させた光ファイバ心線は、スプライスボックス内でリング状に巻回された余長を介してスプライスボックス下辺部若しくは側辺部に設けられたコネクタに接続され、リール光ファイバケーブルの端末は、ハウジングの開閉蓋下部に設けられた挿入口から導入されスプライスボックスの外側からコネクタに接続されていることを特徴としている。
【００１３】
また、本発明の情報コンセントシステムにおける光ファイバ心線は、コネクタに接続された他の光ファイバ心線に融着接続されていることを特徴としている。
【００１４】
さらに、本発明の情報コンセントシステムにおけるスプライスボックスの導入口は、スプライスボックスの下方部から立ち上げられる光ファイバケーブルの端末と対向する部位に配置されていることを特徴としている。
【００１５】
本発明の情報コンセントシステムにおけるスプライスボックスのコネクタは、スプライスボックスの下方部に向かって繰り出されるリール光ファイバケーブルの端末と対向する部位に配置されていることを特徴としている。
【００１６】
また、本発明の情報コンセントシステムにおけるスプライスボックスは、ハウジングの内壁に取り付けられていることを特徴としている。
【００１７】
さらに、本発明の情報コンセントシステムにおけるスプライスボックスは、箱体の底部前面に取り付けられていることを特徴としている。
【００１８】
本発明の情報コンセントシステムによれば、スプライスボックス内に導入した分岐光ファイバケーブルの光ファイバ心線と、コネクタに接続した光ファイバ心線とをスプライスボックス内において融着接続していることから、スプライスボックスを小さくすることができ、このスプライスボックスをそのまま情報コンセントのハウジング内に収容することができる。従って、本発明によれば、収容スペースが２００ｍｍ以下のモニュメント型、ペデスタル型およびキロポスト型の情報コンセントにも適用することができる。また、分岐光ファイバケーブルとスプライスボックスとが別体で構成されていることから、分岐光ファイバケーブルの布設とスプライスボックスの据付けとを別々に工事することができ、さらに、単一のスプライスボックスをハウジングの内壁等に取り付ければよいことから、情報コンセントを簡便に組み立てることができる。従って、本発明によれば、コンパクトで、単一のスプライスボックスを取り付けることで情報コンセントの据付け工事を行なうことができ、ひいては納期の短縮化を図ることができる。また、本発明の情報コンセントシステムにおいては、情報コンセントに設けた挿入口から、リール光ファイバケーブルのＩ型コネクタを導入することができることから、リール光ファイバケーブルの端末を情報コンセントに接続した状態において、開閉蓋を閉じることができる。
【００１９】
【発明の実施の形態】
以下、本発明の情報コンセントシステムを適用した好ましい実施の形態例について、図面を参照して説明する。
【００２０】
図１は、分岐光ファイバケーブルの横断面図、図２は、分岐光ファイバケーブルの端末が導入される情報コンセントの正面図を示している。なお、図１、２および以下に説明する図３〜図１０において、図１１〜図１３と共通する部分には同一の符号が付されている。
【００２１】
図１において、分岐光ファイバケーブル３は、中心に鋼線等のテンションメンバ３１を有し、外周部に４個の螺旋溝３２を備えるスペーサ３０と、各螺旋溝３２にそれぞれ１本ずつ収納される光ファイバ心線３ａ、３ｂ、３ｃ、３ｄと、スペーサ３０の外周に順次設けられたテープ巻回巻３３およびＬＡＰシース等の外被３４とを備えている。ここで、各光ファイバ心線３ａ、３ｂ、３ｃ、３ｄは、例えば、石英等のガラスを主成分とする光ファイバと、この光ファイバの外側に順次被覆された、一次被覆層、二次被覆層およびナイロン樹脂で被覆した着色層とでそれぞれ構成されている。また、４心の光ファイバ心線３ａ、３ｂ、３ｃ、３ｄのうち、２心の光ファイバ心線３ａ、３ｂは、クロージャ２（図１１参照）を介して、幹線光ファイバケーブルを構成する上流側の光ファイバ心線（不図示）に接続され、他の２心の光ファイバ心線３ｃ、３ｄは、下流側の光ファイバ心線（不図示）に接続されている。
【００２２】
次に、情報コンセント４は、図２に示すように、例えばレディミクスコンクリート等から成る架台１０の上にアンカーボルト（不図示）等を介して立設される円筒状のハンジング本体４１と、このハンジング本体４１の上部を閉塞する半球状の覆蓋４０とを備えており、これらのハンジング本体４１および覆蓋４０は、例えばガラスカレット材を混入して遠心成形したコンクリート材で一体に成形されている。また、ハンジング本体４１の上部には開閉蓋４２が設けられており、この開閉蓋４２の下部には挿入口４４が設けられている。なお、ハンジング本体４１の上部外周にはキロメートル標示板４５や付加情報板４６が貼設されている。
【００２３】
図３は、ハンジング本体内に収納されるスプライスボックスの説明図を示している。図３（ａ）、（ｂ）、（ｃ）において、スプライスボックス１１は、略矩形状のスプライスボックス本体１２と、このスプライスボックス本体１２の前面をゴムパッキン１４を介して水密に覆うスプライスボックス蓋１３とを備えており、スプライスボックス本体１２の底部前面には枠状の取付板１５が取着されている。また、取付板１５の両側には、チャンネル状の余長収納部１６ａ、１６ｂが対向するようにして設けられ、上部には、テンションメンバクランプ１７が設けられている。さらに、スプライスボックス本体１２の下辺部１２ａには、導入口（不図示）と取出口（不図示）が離間して設けられ、導入口にはケーブルクランプ１８が水密に取着され、取出口にはコネクタ１９が水密に取着されている。
【００２４】
ケーブルクランプ１８は、図４に示すように、スプライスボックス本体１２の導入口に装着されケーブルクランプ本体１８ａと、このケーブルクランプ本体１８ａに内挿される円筒状のケーブル押え部１８ｂと、ケーブル押え部１８ｂに内挿される筒状のパッキン１８ｃと、このパッキン１８ｃおよびケーブル押え部１８ｂを覆いケーブルクランプ本体１８ａの外周に螺着されるキャップ１８ｄとを備えており、ケーブル押え部１８ｂの一方側には径方向に伸縮する伸縮部１８ｅが、キャップ１８ｄには分岐光ファイバケーブル３の端末を挿入し得る挿入孔１８ｆが設けられている。
【００２５】
コネクタ１９は、図５に示すように、スプライスボックス本体１２の取出口にＯリング（不図示）を介して水密に装着されるコネクタ本体１９ａを備えており、コネクタ本体１９ａ内には４本の接続子１９ｂが円周方向に等配されている。また、各接続子１９ｂの下端部にはプラグの受容口（不図示）が設けられ、上端部には１ｍ程度の光ファイバ心線（以下「コネクタ側光ファイバ心線」という。）３ａ´、３ｂ´、３ｃ´、３ｄ´が接続されている。
【００２６】
次に、分岐光ファイバケーブル３の端末をスプライスボックス本体１２の導入口に水密に導入する方法について説明する。
【００２７】
先ず、ケーブルクランプ本体１８ａは、スプライスボックス本体１２の導入口に装着され、図示しないＯリングやナットを介して導入口に水密に固定されている。次に、分岐光ファイバケーブル３の端末側に、図４に示すキャップ１８ｄ、パッキン１８ｃおよびケーブル押え部１８ｂを順次嵌挿する。そして、これらのキャップ１８ｄ、パッキン１８ｃおよびケーブル押え部１８ｂを嵌挿した分岐光ファイバケーブル３の端末を、図５に示すように、ケーブルクランプ本体１８ａに導入し、ケーブル押え部１８ｂおよびパッキン１８ｃを所定位置に引戻してキャップ１８ｄをケーブルクランプ本体１８ａのネジ部に螺着する。これにより、分岐光ファイバケーブル３の端末がスプライスボックス本体１２の導入口に水密に導入・固定される。
【００２８】
ここで、分岐光ファイバケーブル３の端末を段剥してテンションメンバ３１およびスペーサ３０を露出し、テンションメンバ３１の先端部をテンションメンバクランプ１７に引留めると共に各螺旋溝３２から光ファイバ心線（以下「分岐側光ファイバ心線」という。）３ａ、３ｂ、３ｃ、３ｄをそれぞれ取出す。そして、この分岐側光ファイバ心線３ａ、３ｂ、３ｃ、３ｄの端部と、対応するコネクタ側光ファイバ心線３ａ´、３ｂ´、３ｃ´、３ｄ´の端部とを突き合わせ、当該突き合わせ部を光ファイバ融着器（不図示）を介して融着接続し、この融着接続部の外周に熱収縮チューブ等から成る保護チューブ２０を被着する。なお、融着接続された光ファイバ心線は、リング状に巻回され、その上下部分は一対の支柱部２１ａ、２１ｂ間に架け渡され、両側部分は一対の余長収納部１６ａ、１６ｂに挿入される。
【００２９】
このような構成のスプライスボックス１１は、図６に示すように、情報コンセント４を構成するハウジング本体４１の内壁に架台４７を介して取り付けられ、また、コネクタ１９にはループコネクタＣ３がプラグイン接続される。
【００３０】
次に、情報コンセントのコネクタにリール光ファイバケーブルの端末を接続する方法について説明する。
【００３１】
先ず、リール光ファイバケーブルの端末にはＩ型コネクタＣ５が接続されている。次に、図７に示すように、開閉蓋４２を開けて、スプライスボックス１１のコネクタ１９からループコネクタＣ３（図６参照）を取り外す。次いで、現地に搬入したリール６からリール光ファイバケーブル７を繰り出して、Ｉ型コネクタＣ５を情報コンセント４の挿入口４４に導入する。そして、リール光ファイバケーブル７の端末を導入部から上方に立ち上げて、Ｉ型コネクタＣ５をコネクタ１９にプラグイン接続する。なお、上記の作業が終了した後は、図８に示すように、開閉蓋４２が閉じられる。これにより、当該情報コンセント４から、被災地の災害状況等を撮像した映像や音声等のデータをリアルタイムで伝送することができる。
【００３２】
以上のように、本発明の情報コンセントを備える情報コンセントシステムにおいては、スプライスボックス内に導入した分岐光ファイバケーブルの光ファイバ心線と、コネクタに接続した光ファイバ心線とをスプライスボックス内において融着接続していることから、スプライスボックスを小さくすることができ、このスプライスボックスをそのまま情報コンセントのハウジング内に収容することができる。また、分岐光ファイバケーブルとスプライスボックスとが別体で構成されていることから、分岐光ファイバケーブルの布設とスプライスボックスの据付けとを別々に工事することができ、さらに、単一のスプライスボックスをハウジングの内壁等に取り付ければよいことから、情報コンセントを簡便に組み立てることができる。また、本発明の情報コンセントシステムにおいては、情報コンセントに設けた挿入口から、リール光ファイバケーブルのＩ型コネクタを導入することができることから、リール光ファイバケーブルの端末を情報コンセントに接続した状態において、開閉蓋を閉じることができる。
【００３３】
図９および図１０は、本発明におけるスプライスボックスの他の実施例を示している。なお、これらの図において、図３〜図８と共通する部分に同一の符号を付して詳細な説明を省略する。
【００３４】
先ず、図９に示す実施例においては、図３に示す縦長のスプライスボックス１１に代えて、横長のスプライスボックス１１´が使用されている。この実施例においては、スプライスボックス１１´の横幅寸法が図３に示すスプライスボックス１１よりも若干大きくなるものの、従来のＩ、Ｌ型コネクタを使用する情報コンセントよりは小型化できる。
【００３５】
次に、図１０に示す実施例においては、前述のスプライスボックス１１が箱体２２の底部前面に取着されており、その開口部には図示しない蓋体が水密に被着されている。また、箱体２２の背面には一対の取付部材２３ａ、２３ｂが離間して取着されており、この取付部材２３ａ、２３ｂを介して図示しないハンドホールの内壁や電柱等の支柱に取り付けられている。なお、図１０中、２４はＡＣ１００Ｖのコンセント、２５はブレーカ、２６は防水部材を示している。
【００３６】
この実施例においては、スプライスボックス１１を備える箱体２２をそのままハンドホールの内壁や電柱等に取り付けることができる。
【００３７】
なお、前述の実施例においては、分岐側光ファイバ心線をコネクタ側光ファイバ心線に融着接続した場合について述べているが、本発明はこれに限定されず、例えば、予めコネクタに光ファイバ心線を接続せずに、分岐側光ファイバ心線をそのままコネクタに接続してもよい。また、導入口およびコネクタは、スプライスボックスの下辺部に設けるものに限定されず、例えば、導入口をスプライスボックスの下辺部に設け、コネクタをスプライスボックスの側辺部に設けてもよい。
【００３８】
【発明の効果】
以上の説明から明らかなように、本発明の情報コンセントシステムによれば、スプライスボックス内に導入した分岐光ファイバケーブルの光ファイバ心線と、コネクタに接続した光ファイバ心線とをスプライスボックス内において融着接続していることから、スプライスボックスを小さくすることができ、このスプライスボックスをそのまま情報コンセントのハウジング内に収容することができる。従って、本発明によれば、収容スペースが２００ｍｍ以下のモニュメント型、ペデスタル型およびキロポスト型の情報コンセントにも適用することができる。また、分岐光ファイバケーブルとスプライスボックスとが別体で構成されていることから、分岐光ファイバケーブルの布設とスプライスボックスの据付けとを別々に工事することができ、さらに、単一のスプライスボックスをハウジングの内壁等に取り付ければよいことから、情報コンセントを簡便に組み立てることができる。従って、本発明によれば、コンパクトで、単一のスプライスボックスを取り付けることで情報コンセントの据付け工事を行なうことができ、ひいては納期の短縮化を図ることができる。また、本発明の情報コンセントシステムにおいては、情報コンセントに設けた挿入口から、リール光ファイバケーブルのＩ型コネクタを導入することができることから、リール光ファイバケーブルの端末を情報コンセントに接続した状態において、開閉蓋を閉じることができる。
【００３９】
【図面の簡単な説明】
【図１】  本発明における分岐光ファイバケーブルの横断面図。
【図２】  本発明における情報コンセントの正面図。
【図３】  本発明におけるスプライスボックスの説明図で、図３（ａ）はスプライスボックス本体の正面図、図３（ｂ）はスプライスボックスの側面図、図３（ｃ）はスプライスボックスの下面図。
【図４】  本発明における分岐光ファイバケーブルの端末に配設されるケーブルクランプの分解斜視図。
【図５】  本発明におけるスプライスボックスと分岐光ファイバケーブルとの接続状況を示す説明図。
【図６】  本発明におけるスプライスボックスのハウジングへの取付状況を示す説明図。
【図７】  本発明におけるリール光ファイバケーブルのスプライスボックスへの接続状況を示す説明図。
【図８】  本発明における情報コンセントの開閉蓋を閉じた状態を示す説明図。
【図９】  本発明の他の実施例におけるスプライスボックス本体の正面図。
【図１０】  本発明におけるスプライスボックスを箱体内に収納した状態を示す説明図。
【図１１】  情報コンセントシステムの概略図。
【図１２】  従来におけるリール光ファイバケーブルの情報コンセントへの接続状況を示す説明図。
【図１３】  従来におけるリール光ファイバケーブルの情報コンセントへの接続状況を示す説明図。
【符号の説明】
１・・・幹線光ファイバケーブル
３・・・分岐光ファイバケーブル
４・・・情報コンセント
１９・・・コネクタ
１１・・・スプライスボックス
３ａ〜３ｄ・・・光ファイバ心線（分岐側光ファイバ心線）
３ａ´〜３ｄ´・・・光ファイバ心線（コネクタ側光ファイバ心線）
【図１】
0003896508.tif 000002
【図２】
0003896508.tif 000003
【図３】
0003896508.tif 000004
【図４】
0003896508.tif 000005
【図５】
0003896508.tif 000006
【図６】
0003896508.tif 000007
【図７】
0003896508.tif 000008
【図８】
0003896508.tif 000009
【図９】
0003896508.tif 000010
【図１０】
0003896508.tif 000011
【図１１】
0003896508.tif 000012
【図１２】
0003896508.tif 000013
【図１３】
0003896508.tif 000014